(57)【要約】【課題】  塵埃、煙草の煙等を効果的に除去して室内をより快適な環境とすることが可能な照明器具を提供する【解決手段】  本願の照明器具１は、下方に開口５ａを有し少なくとも発光部７の一部を覆うように配置される反射部材８を備える照明器具１において、当該照明器具１の内部に配置され、マイナスイオンを発生させるマイナスイオン発生装置２０と、前記マイナスイオンを外部に放出する放出口１５と、を具備する。【選択図】  図２
2006156145.tif 000002
【特許請求の範囲】
【請求項１】
下方に開口を有し少なくとも発光部の一部を覆うように配置される反射部材を備える照明器具において、
当該照明器具の内部に配置され、マイナスイオンを当該照明器具の内部で発生させるマイナスイオン発生装置と、
前記マイナスイオンを外部に放出する放出口と、
を具備することを特徴とする照明器具。
【請求項２】
前記照明器具の内部に配置され、前記開口から外気を吸気する吸気手段を、更に具備することを特徴とする請求項１に記載の照明器具。
【請求項３】
当該反射部材の内側には、外気が照明器具の内部に直接侵入するのを防ぐ仕切体を具備することを特徴とする請求項１、又は２に記載の照明器具。
【請求項４】
前記照明器具の内側の表面には、光触媒が塗布されていることを特徴とする請求項１〜３のいずれかに記載の照明器具。
【請求項５】
当該反射部材の内側の表面には、光触媒が塗布されていることを特徴とする請求項１〜３のいずれかに記載の照明器具。
【請求項６】
当該マイナスイオン発生装置と放出口は、当該照明器具に複数設けられていることを特徴とする請求項１〜５のいずれかに記載の照明器具。
【発明の詳細な説明】
【技術分野】
【０００１】
本願は、照明器具に関し、例えば、喫煙等により発生する煙を除去、室内の空気を浄化するマイナスイオン発生装置付きの照明器具に関する。
【背景技術】
【０００２】
近年においては、マイナスイオンの発生により生物に好影響を与えることが知られており、室内における空気を浄化するための空気清浄器が種々開発されている。例えば、空気を浄化するとともにマイナスイオンを含む気流を発生させるマイナスイオン発生装置を利用したシーリングファンが存在する（特許文献１）。
【０００３】
当該シーリングファンに使用されるマイナスイオン発生装置は、一方を空気の導入口、他方を空気の排出口とするチタン合金からなる導電性の筒状電極と、この筒状電極の前記空気の導入口に臨む針状電極と、前記筒状電極がプラス、マイナスとなるように、両電極に高電圧を印加する高電圧発生装置と、を備え、前記両電極への高電圧の印加によって、放電現象を起こさせ電子間の衝突によって前記筒状電極の空気の導入口から排出口に向けて、気流を発生させるとともに、電極の酸化チタンによる光触媒現象でマイナスイオンを発生させるものである。
【０００４】
当該シーリングファンは、当該シーリングファンの回転翼によって室内の空気を循環させ、当該マイナスイオン発生装置から発生するマイナスイオンを直接外部（室内）に放出して当該室内の空気を浄化するものである。
【０００５】
また、光触媒効果により、空気を浄化できることが知られている。
【０００６】
【特許文献１】特開２０００−０７４４３２号公報
【発明の開示】
【発明が解決しようとする課題】
【０００７】
上記のように、家庭・職場の室内環境はもとより、特に飲食店においては、温度、空気の状態などの快適な環境が求められるとともに、近年においては、受動喫煙防止対策を検当する必要性が生じている。
【０００８】
そこで、本願は上記各問題点の解決を課題の一例として為されたもので、塵埃、煙草の煙等を効果的に除去して室内をより快適な環境とすることが可能な照明器具を提供することを目的とする。
【課題を解決するための手段】
【０００９】
上記課題を解決するために、請求項１に記載の照明器具（１）は、下方に開口（５ａ）を有し少なくとも発光部（７）の一部を覆うように配置される反射部材（８）を備える照明器具において、当該照明器具の内部に配置され、マイナスイオンを当該照明器具の内部で発生させるマイナスイオン発生装置（２０）と、前記マイナスイオンを外部に放出する放出口（１５）と、を具備することを特徴とする。
【００１０】
このようにすれば、例えば、開口から流入する煙草の煙を消煙、照明器具の内部に取り込まれた空気に含まれる塵埃を集塵して当該空気を浄化することができる。また、マイナスイオン発生装置により発生したマイナスイオンが放出口から室内に放出されるので、効果的に室内の空気を浄化（マイナスイオン化）できる。
【００１１】
また、請求項２に記載の照明器具は、請求項１に記載の照明器具において、前記照明器具の内部に配置され、前記開口から外気を吸気する吸気手段（２５）を、更に具備することを特徴とする。
【００１２】
このようにすれば、効率よく室内の空気を照明器具の内部に集めることができる。また、照明器具の内部に吸気された空気や煙草の煙を浄化、又は消煙することができる。さらに、室内の空気は、当該照明器具を介して循環するため、当該照明器具により浄化された空気、及びマイナスイオン発生手段により発生したマイナスイオンが放出口から室内に放出されるので、効果的に室内の空気を浄化（マイナスイオン化）できる。
【００１３】
また、請求項３に記載の照明器具は、請求項１、又は２に記載の照明器具において、当該反射部材の内側には、外気が照明器具の内部に直接侵入するのを防ぐ仕切体（１７）を具備することを特徴とする。
【００１４】
このようにすれば、吸気の風速を上げることができるので、効果的に外気を吸気できる。
【００１５】
また、請求項４に記載の照明器具は、請求項１〜３いずれかに記載の照明器具において、前記照明器具の内側の表面には、光触媒が塗布されていることを特徴とする。
【００１６】
このようにすれば、外気が照明器具の内部に吸気される際に、当該外気に対して光触媒効果を与えることができるので、効果的に室内の空気を浄化できる。また、煙草の煙に含まれるヤニを光触媒効果により分解することができる。
【００１７】
また、請求項５に記載の照明器具は、請求項１〜３のいずれかに記載の照明器具において、当該反射部材の内側の表面には、光触媒（３０）が塗布されていることを特徴とする。
【００１８】
このようにすれば、外気が照明器具の内部に吸気される際に、当該外気に対して光触媒効果を与えることができるので、効果的に室内の空気を浄化できる。また、煙草の煙に含まれるヤニを光触媒効果により分解することができる。
【００１９】
また、請求項６に記載の照明器具は、請求項１〜５のいずれかに記載の照明器具において、当該マイナスイオン発生手段と放出口は、当該照明器具に複数設けられていることを特徴とする。
【００２０】
このようにすれば、マイナスイオンが放出される量が増えるので、より効果的に室内の空気を浄化できる。
【発明を実施するための最良の形態】
【００２１】
以下、本願の最良の実施形態について、図１乃至図５を用いて詳細に説明する。図１は照明器具の外観図、図２は照明器具の内部構造図、図３は吸気ファンの構成図、図４は図２のＡに示すマイナスイオン発生装置の構成図、図５は照明器具の取り付け状態を示し、照明器具の動作を説明するための図である。なお、本願の照明器具は、一例として、天井から吊り下げて使用する、いわゆるペンダント形照明器具を用いて説明するが、本願が本実施形態に限定されるものではない。
【００２２】
まず、図１乃至図４を用いて本願の照明器具の構成について説明する。
【００２３】
図１に示すように、照明器具１は、天井に取り付けられるフランジ２と、当該フランジ２の下端に取り付けられるアーム３と、アーム３の下端に取り付けられる照明器具本体５と、を備える。このようにして、当該照明器具本体５は、アーム３を介して天井から吊り下げられている。
【００２４】
図２に示すように、フランジ２は、天井１１に予め備えられている引掛シーリング等の配線器具１１ａと接続される配線器具２ａを内蔵している。配線器具２ａには、電気を供給するためのコード４が取り付けられ、当該コード４はアーム３に巻きつけられつつ、制御基板等を介して後述する照明器具本体５のソケット６と電気的に接続されている。
【００２５】
照明器具本体５は、ソケット６に装着された電球７と、当該電球７の周囲（上部と側部外周）を覆うとともに下方に開口５ａを有するセードと呼ばれる反射傘８と、当該反射傘８の上部に固定して取り付けられ電気配線や制御基板等を収容するフードと呼ばれる収容体９と、を備えている。この反射傘８は、電球７によって照射された光を下方の必要な方向に反射させるものである。また、当該電球７として白熱電球が用いられている。また、当該ソケット６は、反射傘８の上端中央部から下方に電球７が設置されるように当該反射傘８の上端に固定されている。また、収容体９の上端部はアーム３と接続され、当該照明器具本体５は天井から吊下げられている。
【００２６】
なお、本実施形態における電球７は、本願の発光部として機能し、本実施形態における反射傘８は、反射部材として機能する。
【００２７】
次に、反射傘８は、図１、及び図２に示すように、円形状の端部体８ａと、下方に開口５ａを有し当該端部体８ａの外周から下方に湾曲して伸びる側体８ｂと、端部体８ａの下方に所定の支持体１６を介して取り付けられている端部体８ａと略同等の面積を有する端部カバー１７と、を備えている。反射傘８の端部体８ａと端部カバー１７との間は所定の空間を有しており、当該空間は外気を吸気する空気通路として機能する。
【００２８】
なお、本実施形態の端部カバー１７は、本願の仕切体として機能する。
【００２９】
また、反射傘８の端部体８ａには、当該収容体９の内部に連通する開口１８を有している。当該開口１８の上部には、吸気ファン２５が取り付けられている。この吸気ファン２５により、外気が、反射傘８の下方に有する開口５ａから収容体９の内部に吸気される。また、端部カバー１７を備えることにより、外気が収容体９の内部に吸気される際の空気通路を狭くできる。これにより吸気の風速を上げることができるとともに、吸気ファン２５の騒音を低減することができる。
【００３０】
図３に示すように、吸気ファン２５は、電気を供給するための接続コードを有するモータ（図示なし）と、モータの軸を介して接続され、複数のファンブレードをカップ状のロータ部２６の外周側面に一体形成してなる複数の回転翼２７と、モータ及び回転翼２７を支持するための正方形状の支持枠２８と、を備えている。また、支持枠２８は、回転翼２７の外周を覆うように形成されている。また、支持枠２８の４隅には端部体８ａの開口と接続するためのネジ部２９を有する。そして、支持枠２８はネジを介して端部体８ａと接続される。なお、接続コードは、制御基板等と電気的に接続される。
【００３１】
なお、本実施形態における吸気ファン２５は、本願の吸気手段として機能する。
【００３２】
また、反射傘８の側体８ｂの内側の表面には、光触媒３０を付着し、光触媒層が形成されている。なお、端部カバー１７の表面、及び後述する収容体９内側の端部体９ａや側体９ｂの表面にも、当該光触媒３０を付着し、光触媒層を形成するようにしても構わない。この光触媒層は、いかなる光触媒３０でも良いが、酸化チタン粒子、銀粒子、アパタイト粒子からなるものが好適であり、側体８ｂがプラスチック製品等の場合には光触媒塗料を塗るとかあるいは光触媒塗料にドブ漬けするようにして形成される。なお、当該空気通路として機能する反射傘８の端部体８ａと端部カバー１７の表面にも溶射、塗装等によって光触媒の膜が形成されていることが好ましい。
【００３３】
このようにすれば、照明器具の内部に吸気された空気に効率よく光触媒の影響を与えることができる。すなわち、空気の浄化を効率よく行うことができる。また、煙草の煙に含まれるヤニを光触媒効果により分解することができる。
【００３４】
次に、収容体９は、図１、及び図２に示すように、矩形状の端部体９ａと、当該端部体９ａの外周から断面が略台形状になるように下方に延びる４枚の側体９ｂと、を備えている。各側体９ｂの下端部９ｃは内側につめ折加工されている。当該下端部９ｃには、反射傘８の端部体８ａとネジ等の固定具によって固定するためのネジ孔（図示なし）が、所定の間隔を有して設けられている。そして、収容体９は、このネジ孔を介して固定具により反射傘８の端部体８ａに取り付けられている。
【００３５】
また、図上左右の側体９ｂは、開口を有しており、当該開口には、後述するマイナスイオン発生装置２０の電極として機能する電極板１６が配置されている。当該電極板１６は、収容体９の内側から支持体２１により支持されている。
【００３６】
また、当該電極板１６は、所定の円の外周に中心を有する小さな貫通孔１５が４つ設けられている。当該貫通孔１５は、吸気ファン２５により吸気される空気を外部に排出するための排出口として機能するとともに、後述するマイナスイオン発生装置２０により発生するマイナスイオンを外部に放出するための放出口として機能する。
【００３７】
また、本実施形態の照明器具１は、収容体９の左右両側体９ｂに有する開口からマイナスイオンを放出するためのマイナスイオン発生装置２０を当該収容体９の内部に配置している。また、本実施形態の照明器具１は、電極板１６に有する各貫通孔１５からマイナスイオンが放出されるように、当該マイナスイオン発生装置２０を備えている。
【００３８】
図４に示すように、マイナスイオン発生装置２０は、軸線方向の両端部に開口を有し、一方の開口を空気導入口１５ａ、他方の開口をマイナスイオン放出口１５ｂとする導電性を有する円筒状電極として機能する貫通孔１５と、この円筒状電極の前記空気導入口１５ａ側に臨むように配置される針状電極２２と、前記両電極１５、２２に高電圧を印加する高電圧発生装置２３と、を備えている。円筒状電極１５及び針状電極２２は、共に酸化チタンなどのチタン合金で形成され、これにより半永久的な寿命を確保している。
【００３９】
高電圧発生装置２３によって、両電極間にＤＣ約７５００Ｖの高電圧を印加すると、空気導入口１５ａ側の円筒状電極１５端部と針状電極２２の先端部との間で放電現象が発生し、電子間の衝突により風速約２ｍ毎秒の風圧が発生する。同時に、電極材料の酸化チタンによる光触媒現象でマイナスイオンが発生（約１５０万個／ｃｃ）する。具体的には、本実施形態の照明器具１では、図上１つの貫通孔１５からは約４０万個／ｃｃのマイナスイオンが発生する。また、片側の側体９ｂに配置されている電極板１６には、４つの開口を有しているので、１つのマイナスイオン発生装置２０からは１６０万個／ｃｃのマイナスイオンが発生する。さらに、本実施形態の照明器具１では、２つのマイナスイオン発生装置２０が収容体９の内部に配置されているので、約３２０万個／ｃｃのマイナスイオンが発生することとなる。
【００４０】
当該マイナスイオンはマイナスイオン放出口１５ｂから直接外部に放出される。放出されたマイナスイオンは、人体に有害な２．０〜０．００１μｍまでの花粉やダニのフン、煙草の煙などを効果的に集塵する他、脱臭効果も得ることができる。また、このマイナスイオン発生装置２０はフィルタを使用していないため、フィルタ交換などのメンテナンスも不要である。さらに、マイナスイオン発生装置２０は微量のオゾンもマイナスイオンの発生と同時に発生するため、脱臭・除菌・森林浴効果を得られる。次に、図５に基づいて照明器具の動作を説明する。一例として、飲食店のテーブル上に本願の照明器具が取り付けられている状態において、お客さんが煙草を吸っている際の照明器具の動作を説明する。
【００４１】
まず、飲食店３５の室内３６の空気は、照明器具１の内部に取り付けられている吸気装置２５によって、当該反射傘８の下方に有する開口５ａから当該照明器具１の内部に吸気される。当該空気は、光触媒の影響を受けるとともに、マイナスイオンの影響を受けて排出口１５から飲食店３５の室内３６に排出される。また、図示のように、テーブル３７上の灰皿３８に載置された煙草３９の煙なども同様に吸気ファン２５によって、当該反射傘８の下方に有する開口５ａから照明器具１の内部に吸気される。当該煙は、照明器具１の内部において、光触媒の影響を受けるとともに、マイナスイオンの影響を受けて消煙する。
【００４２】
具体的には、吸気ファン２５によって、外気が吸気されると、例えば、空気中に含まれる塵埃や煙草３９の煙などが、反射傘８下方の開口５ａを介して、照明器具１の内部に吸気される。吸気された空気や煙は、まず、反射傘８の内面、及び端部カバー１７の表面に塗布された光触媒３０の影響を受けつつ、空気通路を介して収容体９の内部に流入する。当該塵埃を含む空気や煙草の煙は、収容体９の内部に備えられているマイナスイオン発生装置２０のプラス電極（電極体１６）に付着して集塵されるとともに、マイナスイオンと結合して分解除去される。そして、塵埃を含む空気が浄化されるとともに、煙草の煙が消煙される。
【００４３】
また、マイナスイオン発生装置２０により発生するマイナスイオンが直接、飲食店３５の室内３６に排出される。これによって、飲食店３５の室内３６をマイナスイオン雰囲気傾向にすることができる。また、マイナスイオン発生装置２０は、微量のオゾンもマイナスイオンの発生と同時に発生するため、室内の脱臭・除菌・森林浴効果を得られる。
【００４４】
また、本実施形態における照明器具１は、当該照明器具１の下方の開口５ａからマイナスイオン及び室内の塵埃を含む空気を吸気して、当該空気を照明器具１の内部で浄化し、当該浄化した空気を、飲食店３５の室内３６に放出するようにしたので、飲食店３５の室内３６中の空気を効果的にマイナスイオン雰囲気傾向にすることができる。
【００４５】
以上に説明したように、本願の照明器具１は、電球７と、下方に開口５ａを有し少なくとも当該白熱電球の上部及び側部を覆うように配置される反射傘８と、を備える照明器具１において、前記照明器具１の内部に配置され、前記開口５ａから外気を吸気する吸気ファン２５と、当該照明器具１の内部に配置され、マイナスイオンを当該照明器具１の内部で発生させるマイナスイオン発生装置２０と、前記マイナスイオンを外部に放出する貫通孔１５と、を備えている。
【００４６】
このようにすれば、効率よく室内の空気を照明器具１の内部に集めることができるとともに、当該空気に含まれる塵埃を集塵して浄化できるとともに、煙草の煙を消煙することができる。また、吸気ファン２５により室内の空気を照明器具１を介して循環させ、室内の空気に含まれる塵埃を照明器具１の内部で浄化して、当該浄化した空気を照明器具１の貫通孔１５から当該室内に排出するとともに、マイナスイオンを照明器具１の貫通孔１５から当該室内に直接、放出するようにしたので、効果的に室内の空気を浄化（マイナスイオン雰囲気）できる。
【００４７】
また、当該照明器具１の内側の表面には光触媒が塗布されていてもよい。また、他の例として、当該反射傘８の内側の表面には、光触媒３０が塗布されていてもよい。このようにすれば、外気が照明器具１の内部に吸気される際に、当該外気に対して光触媒効果を与えることができるので、効果的に室内の空気を浄化できる。また、煙草の煙に含まれるヤニを光触媒効果により分解することができる。
【００４８】
また、当該反射傘８の内側には外気が照明器具１の内部に直接侵入するのを防ぐ端部カバー１７を備え、当該端部カバー１７の表面には光触媒が塗布されていてもよい。このようにすれば、外気は必ず端部カバー１７の表面又は反射傘８の内側の表面に付着した光触媒と接触し、当該外気に対して光触媒効果を与えることができるので、外気に対して効果的に光触媒効果を与えることができる。また、端部カバー１７によって、吸気の風速を上げることができるので、効果的に外気を吸気できる。さらに、端部カバー１７を備えることによって吸気ファン２５の騒音を低減できる。
【００４９】
本発明は以上の実施形態に限ることなく、種々の形態にて実施可能である。例えば、本願の発光部として機能する電球は白熱電球に限られるものではなく、円筒形状の蛍光灯を使用したものであっても構わない。また、照明器具は、天井から吊るして使用するペンダント形照明器具に限られるものではなく、壁掛け用の照明器具などであっても構わない。さらに、吸気ファンは、外気を照明器具の内部に吸気できるものであればどのようなものであっても構わない。さらにまた、マイナスイオンを外部に放出する貫通孔１５の数などは少なくとも１つあれば良く、いくつでも構わない。また、本実施形態の照明器具１では、収容体９の左右両側体９ｂから外部にマイナスイオンを発生させるようにしているが、どちらか一方の側体９ｂから外部にマイナスイオンを発生させるようにしてもよいし、収容体９の外周すべての側体９ｂから外部にマイナスイオンを発生させるようにしてもよい。このようにすれば、マイナスイオンが放出される量が増えるので、より効果的に室内の空気を浄化できる。
【図面の簡単な説明】
【００５０】
【図１】本願の照明器具の外観図である。
【図２】本願の照明器具の内部構造図である。
【図３】吸気ファンの構成図である。
【図４】マイナスイオン発生装置の内部構成図である。
【図５】本願の照明器具の取り付け状態を示し、照明器具の動作を説明するための図である。
【符号の説明】
【００５１】
１  照明器具
５ａ  開口
７  電球
８  反射傘
１５  貫通孔
１７  端部カバー
２０  マイナスイオン発生装置
２５  吸気ファン
３０  光触媒
【図１】
2006156145.tif 000003
【図２】
2006156145.tif 000004
【図３】
2006156145.tif 000005
【図４】
2006156145.tif 000006
【図５】
2006156145.tif 000007